(57)【要約】 【課題】  簡単な構成で、レーザドライバの発生する熱が、半導体レーザにもたらされることを抑制し、長時間にわたって安定して動作することのできる光ピックアップ装置を提供する。【解決手段】  光ピックアップ装置１０では、光記録媒体１４が情報の記録／再生が可能なようにディスクドライブ装置に装着された状態で、レーザドライバ１３が、第１および第２半導体レーザ１１，１２に対して光記録媒体１４の回転方向２２の下流側に配置される。【選択図】      図１
2005196923.tif 000002
【特許請求の範囲】
【請求項１】
複数の半導体レーザと、半導体レーザを駆動させるレーザドライバとを備え、半導体レーザから出射される光を利用して光記録媒体に情報の記録および／または光記録媒体から情報の再生を行う光ピックアップ装置において、
光記録媒体が情報の記録／再生が可能なように装着された状態で、
レーザドライバが、複数の半導体レーザに対して光記録媒体の回転方向の下流側に配置されることを特徴とする光ピックアップ装置。
【請求項２】
複数の半導体レーザとレーザドライバとが、収容されかつ装着されるハウジングを含み、
ハウジングに備わる装着板であって、複数の半導体レーザとレーザドライバとが装着される装着板は、少なくともレーザドライバと半導体レーザとの間の断面積が局所的に小さくなる形状に形成されることを特徴とする請求項１記載の光ピックアップ装置。
【請求項３】
複数の半導体レーザが収容かつ装着される第１ハウジングと、
レーザドライバが収容かつ装着される第２ハウジングとを含み、
第１ハウジングと第２ハウジングとが別体に形成されることを特徴とする請求項１記載の光ピックアップ装置。
【請求項４】
第１ハウジングと第２ハウジングとが、
熱伝導率の異なる素材によって形成されることを特徴とする請求項３記載の光ピックアップ装置。
【請求項５】
第１ハウジングと第２ハウジングとが、
金属板を介して連結されることを特徴とする請求項３または４記載の光ピックアップ装置。
【請求項６】
第１ハウジングと第２ハウジングとが、
樹脂部材を介して連結されることを特徴とする請求項３または４記載の光ピックアップ装置。
【請求項７】
第２ハウジングが、
第１ハウジングに対して光記録媒体の回転方向の下流側に配置されることを特徴とする請求項３〜６のいずれか１つに記載の光ピックアップ装置。
【請求項８】
第２ハウジングは、
第１ハウジングを摺動可能に支持する案内軸部材に対して摺接するように設けられることを特徴とする請求項３〜７のいずれか１つに記載の光ピックアップ装置。
【請求項９】
複数の半導体レーザと、半導体レーザを駆動させるレーザドライバとを備え、半導体レーザから出射される光を利用して光記録媒体に情報の記録および／または光記録媒体から情報の再生を行う光ピックアップ装置において、
複数の半導体レーザとレーザドライバとが装着される装着板を有するハウジングを含み、
複数の半導体レーザが装着板の一方の面に装着され、レーザドライバが装着板の他方の面に装着されることを特徴とする光ピックアップ装置。
【発明の詳細な説明】
【技術分野】
【０００１】
本発明は、たとえばデジタルバーサタイルディスク、コンパクトディスクなどの光記録媒体に対する情報の記録および／または再生に使用される光ピックアップ装置に関する。
【背景技術】
【０００２】
近年、携帯利便性に優れるノート型パーソナルコンピュータ（略称ノートパソコン）の普及に伴って、ノートパソコンにおいて用いられる光記録媒体に対する情報の記録／再生装置である光情報記録再生装置は、小型軽量化される傾向にある。また、小型軽量化された光情報記録再生装置は、たとえばデジタルバーサタイルディスク（略称ＤＶＤ）、コンパクトディスク（略称ＣＤ）などの複数の光記録媒体に対して記録／再生の可能なものが汎用化されている。このような装置では、複数の光記録媒体のそれぞれに対して情報の記録（書込み）および再生（読出し）を行うための複数のレーザ光源が搭載され、かつレーザ光源を駆動させるレーザドライバが搭載される。
【０００３】
情報技術の進展に伴い、光記録媒体の記録容量が増大するのに伴って、光記録媒体に対する情報の記録／再生に用いられるレーザ光源である半導体レーザの出力が高くなる傾向にあり、また該半導体レーザを駆動させるレーザドライバも高出力化し消費電力が高くなる傾向にある。このような半導体レーザの高出力化およびレーザドライバの消費電力の増大は、光情報記録再生装置において半導体レーザおよびレーザドライバが搭載される光ピックアップ装置における熱の発生を増加させるので、熱環境が非常に厳しいものとなっている。
【０００４】
図７は、従来の光ピックアップ装置１の構成を簡略化して示す平面図である。図７に示す従来の光ピックアップ装置１では、複数（図７の例では２つ）の半導体レーザ２，３（第１および第２半導体レーザ２，３と呼ぶ）を搭載し、第１および第２半導体レーザ２，３の近傍に、第１および第２半導体レーザ２，３を駆動させる集積回路（略称ＩＣ）であるレーザドライバ４が、装着される。第１および第２半導体レーザ２，３とレーザドライバ４とは、不図示のフレキシブル基板によって電気的に接続される。
【０００５】
光ピックアップ装置１における発熱源としては、第１および第２半導体レーザ２，３とレーザドライバ４とが、大きな要素である。第１および第２半導体レーザ２，３は、発熱源でありながら熱に対して非常に弱い部品であり、第１および第２半導体レーザ２，３自身が、高温になることによって、異常動作を起こす恐れがある。したがって、第１および第２半導体レーザ２，３およびレーザドライバ４について、特に第１および第２半導体レーザ２，３については、放熱対策を採ることが必要とされる。
【０００６】
図７に示す従来の光ピックアップ装置１では、発熱源である第１および第２半導体レーザ２，３ならびにレーザドライバ４は、熱伝導の良い金属製のハウジング５またはハウジング５に備わる装着板６に接して装着されることによって放熱されているけれども、同一の放熱体であるハウジング５に接しているので、互いに発生する熱がそれぞれに伝わり、加熱されることになる。特に放熱性の悪い第１および第２半導体レーザ２，３は、レーザドライバ４から発生する熱が伝えられることによって、高温になりやすい。このような半導体レーザの昇温は、熱容量が少ない小型のハウジングを有するスリムタイプの光ピックアップ装置において顕著に認められる。
【０００７】
図７に示す従来の光ピックアップ装置１のような構成では、特に第１半導体レーザ２が、光記録媒体７が回転する矢符８方向において、レーザドライバ４よりも、回転方向下流側に配置されるので、レーザドライバ４からハウジング５の装着板６を伝わってくる熱と、レーザドライバ４から空気中へ放たれた熱であって光記録媒体７の回転に伴う空気の流れがもたらす熱との両方によって加熱される。
【０００８】
光ピックアップ装置をディスクドライブ装置に組み込んだ状態では、光記録媒体が回転することによって装置内部に空気の流れが発生し、その流れによって各発熱体が冷却されるけれども、前述のように回転方向上流側に発熱量の多いレーザドライバ４が配置されるような場合には、逆に高温の空気の流れによって回転方向下流側の第１半導体レーザ２が加熱される状態になる。
【０００９】
このような半導体レーザの過熱を防止する従来技術に、半導体レーザをレーザホルダに保持してハウジングに組込み、ハウジングにはレーザドライバが装着される放熱板を設け、半導体レーザを保持するレーザホルダと放熱板との間に熱伝達部材を介在させ、放熱板に半導体レーザを熱接合させるというものがある（特許文献１参照）。
【００１０】
この従来技術では、半導体レーザとレーザドライバとを同一の放熱板に接触させることによって、放熱効果を得ている。しかしながら、高出力の半導体レーザまたは複数の半導体レーザを搭載する光ピックアップ装置において、半導体レーザとレーザドライバとが放熱板を共有すると、放熱板の放熱能力に限界があり、半導体レーザとレーザドライバとが共に高温となり、安定的に動作を継続することが困難になるという問題がある。
【００１１】
【特許文献１】特開２００２−３７３４４０号公報
【発明の開示】
【発明が解決しようとする課題】
【００１２】
本発明の目的は、簡単な構成で、レーザドライバの発生する熱が、半導体レーザにもたらされることを抑制し、長時間にわたって安定して動作することのできる光ピックアップ装置を提供することである。
【課題を解決するための手段】
【００１３】
本発明は、複数の半導体レーザと、半導体レーザを駆動させるレーザドライバとを備え、半導体レーザから出射される光を利用して光記録媒体に情報の記録および／または光記録媒体から情報の再生を行う光ピックアップ装置において、
光記録媒体が情報の記録／再生が可能なように装着された状態で、
レーザドライバが、複数の半導体レーザに対して光記録媒体の回転方向の下流側に配置されることを特徴とする光ピックアップ装置である。
【００１４】
また本発明は、複数の半導体レーザとレーザドライバとが、収容されかつ装着されるハウジングを含み、
ハウジングに備わる装着板であって、複数の半導体レーザとレーザドライバとが装着される装着板は、少なくともレーザドライバと半導体レーザとの間の断面積が局所的に小さくなる形状に形成されることを特徴とする。
【００１５】
また本発明は、複数の半導体レーザが収容かつ装着される第１ハウジングと、レーザドライバが収容かつ装着される第２ハウジングとを含み、第１ハウジングと第２ハウジングとが別体に形成されることを特徴とする。
【００１６】
また本発明は、第１ハウジングと第２ハウジングとが、熱伝導率の異なる素材によって形成されることを特徴とする。
【００１７】
また本発明は、第１ハウジングと第２ハウジングとが、金属板を介して連結されることを特徴とする。
【００１８】
また本発明は、第１ハウジングと第２ハウジングとが、樹脂部材を介して連結されることを特徴とする。
【００１９】
また本発明は、第２ハウジングが、第１ハウジングに対して光記録媒体の回転方向の下流側に配置されることを特徴とする。
【００２０】
また本発明は、第２ハウジングは、第１ハウジングを摺動可能に支持する案内軸部材に対して摺接するように設けられることを特徴とする。
【００２１】
また本発明は、複数の半導体レーザと、半導体レーザを駆動させるレーザドライバとを備え、半導体レーザから出射される光を利用して光記録媒体に情報の記録および／または光記録媒体から情報の再生を行う光ピックアップ装置において、
複数の半導体レーザとレーザドライバとが装着される装着板を有するハウジングを含み、
複数の半導体レーザが装着板の一方の面に装着され、レーザドライバが装着板の他方の面に装着されることを特徴とする光ピックアップ装置である。
【発明の効果】
【００２２】
本発明によれば、レーザドライバが、複数の半導体レーザに対して光記録媒体の回転方向の下流側に配置されるので、レーザドライバから発生する熱が、光記録媒体の回転に伴う空気の流れによって半導体レーザにもたらされることがない。したがって、半導体レーザの過熱が防止されるので、長時間にわたって安定した動作を継続することのできる光ピックアップ装置が実現される。
【００２３】
また本発明によれば、複数の半導体レーザとレーザドライバとが装着されるハウジングの装着板は、少なくともレーザドライバと半導体レーザとの間の断面積が局所的に小さくなる形状に形成される。このように装着板におけるレーザドライバと半導体レーザとの間の断面積を局所的に小さくすることによって、レーザドライバで発生する熱が、半導体レーザの方へ伝導することが抑制されるので、半導体レーザの過熱が防止される。
【００２４】
また本発明によれば、複数の半導体レーザが、第１ハウジングに収容かつ装着され、レーザドライバが、第１ハウジングとは別体に形成される第２ハウジングに収容かつ装着され、好ましく第１ハウジングと第２ハウジングとが、熱伝導率の異なる素材によって形成される。たとえば、発熱量が多いレーザドライバを収容する第２ハウジングを高い熱伝導率を有する素材で形成し、発熱量がレーザドライバに比べて少ない半導体レーザを収容する第１ハウジングを、前記第２ハウジングの素材に比べて低い熱伝導率の素材で形成することができる。
【００２５】
このようにハウジングを２つに分け、さらに２つのハウジングを異なる素材とすることによって、光ピックアップ装置設計の自由度が増す。すなわち、発熱量が多く高い放熱性を必要とするレーザドライバを収容する第２ハウジングには、コストが高くても高い熱伝導率の素材を用い、通常水準の放熱性でよい半導体レーザを収容する第１ハウジングには低コストの素材を用いることができ、このようにしてコストの高騰を招来することなく所望の放熱性を備え、長時間にわたって安定した動作を継続することのできる光ピックアップ装置が実現される。
【００２６】
また本発明によれば、第１ハウジングと第２ハウジングとが、金属板を介して連結されるので、第２ハウジングから第１ハウジングへの熱の移動が抑制され、半導体レーザの過熱が防止される。
【００２７】
また本発明によれば、発熱量が多いレーザドライバを収容する第２ハウジングと、半導体レーザを収容する第１ハウジングとが、熱伝導率が低い樹脂部材を介して連結されるので、第２ハウジングから第１ハウジングへの熱の移動が抑制され、半導体レーザの過熱が防止される。
【００２８】
また本発明によれば、発熱量の多いレーザドライバを収容する第２ハウジングが、半導体レーザを収容する第１ハウジングに対して光記録媒体の回転方向の下流側に配置されるので、レーザドライバから発生する熱が、光記録媒体の回転に伴う空気の流れによって半導体レーザにもたらされることがない。
【００２９】
また本発明によれば、発熱量の多いレーザドライバを収容する第２ハウジングが、第１ハウジングを摺動可能に支持する案内軸部材に対して摺接するように設けられるので、レーザドライバからの発熱が、第２ハウジングによる放熱に留まらず、案内軸部材を介しても放熱される。このことによって、レーザドライバの放熱効果を向上することができるので、半導体レーザの過熱が一層効果的に防止される。
【００３０】
また本発明によれば、複数の半導体レーザがハウジングに備わる装着板の一方の面に装着され、レーザドライバが前記装着板の他方の面に装着される。このことによって、レーザドライバから発生する熱が、光記録媒体の回転に伴う空気の流れによって半導体レーザの配置される方向へ移動する場合であっても、レーザドライバから放散された熱を保有する空気の流れが装着板に隔てられて、直接半導体レーザに触れることがないので、半導体レーザの過熱が防止される。
【発明を実施するための最良の形態】
【００３１】
図１は、本発明の実施の一形態である光ピックアップ装置１０の構成を簡略化して示す平面図である。光ピックアップ装置１０は、大略、複数（本実施の形態では２つ）の半導体レーザ１１，１２（以後、第１および第２半導体レーザ１１，１２と呼ぶ）と、第１および第２半導体レーザ１１，１２を駆動させるＩＣであるレーザドライバ１３と、第１または第２半導体レーザ１１，１２から出射される光を、光記録媒体１４の情報記録面に集光させる光学系１５と、光学系１５に含まれる対物レンズ１６をフォーカシングおよびトラッキングのために駆動させる駆動手段であるアクチュエータ１７と、上記各部品を収容するハウジング１８と、ハウジング１８が摺動可能に支持される第１および第２案内軸部材１９，２０とを含んで構成される。
【００３２】
この光ピックアップ装置１０は、第１または第２半導体レーザ１１，１２から出射されるレーザ光を用いて、光記録媒体１４に情報の記録および／または光記録媒体１４から情報の再生を行うことができる。光記録媒体１４は、情報の記録／再生時には、不図示のディスクドライブ装置に装着され、ディスクドライブ装置に設けられるスピンドルモータ２１によって、図１中の矢符２２方向に回転駆動される。
【００３３】
第１半導体レーザ１１には、たとえばＣＤに対する情報の記録／再生に用いられる赤外レーザ光を出射することのできるものが用いられ、第２半導体レーザ１２には、たとえばＤＶＤに対する情報の記録／再生に用いられる赤色レーザ光を出射することのできるものが用いられる。なお、本実施の形態では、第１および第２半導体レーザ１１，１２と呼ぶけれども、その実態は、受光素子をも一体的に備えるレーザホログラムであり、光記録媒体１４で反射された戻り光を受光し、再生信号ならびにトラッキングエラー信号およびフォーカシングエラー信号を検出することのできる構成である。すなわち、光ピックアップ装置１０は、ＣＤとＤＶＤとの２種類の光記録媒体について情報の記録／再生を行うことができる。
【００３４】
レーザドライバ１３は、集積回路からなり、不図示のフレキシブル基板によって第１および第２半導体レーザ１１，１２と電気的に接続され、第１および第２半導体レーザ１１，１２に対して動作制御信号を出力する。
【００３５】
光学系１５は、コリメートレンズ２３、ビームスプリッタ２４、波長板２５、立上ミラー２６、対物レンズ１６などを含み、第１または第２半導体レーザ１１，１２から出射されるレーザ光を、光記録媒体１４の情報記録面にそれぞれ集光させるとともに、その反射光を受光素子に導いて入射させるように設けられる。
【００３６】
アクチュエータ１７は、磁性部材、コイル等を備え、電磁気力を利用した駆動手段であり、前述のように対物レンズ１６をトラッキングおよびフォーカシングのために駆動させる。
【００３７】
ハウジング１８は、たとえば亜鉛ダイカスト、アルミニウムダイカスト、マグネシウムダイカストなどから選ばれる金属製の容器状部材であり、前述の各部品が収容されるとともに装着される。ハウジング１８は、ディスクドライブ装置に装着された状態にある光記録媒体１４の情報記録面に対向するように配置される装着板２７を有する。第１および第２半導体レーザ１１，１２ならびにレーザドライバ１３は、装着板２７の光記録媒体１４を臨む面上に装着され、レーザドライバ１３が、第１および第２半導体レーザ１１，１２に対して、矢符２２で示す光記録媒体１４の回転方向の下流側に配置される。
【００３８】
レーザドライバ１３の発熱量と第１および第２半導体レーザ１１，１２の発熱量とを比較すると、レーザドライバ１３の方が大きい。このレーザドライバ１３を、第１および第２半導体レーザ１１，１２よりも、光記録媒体１４の回転方向の下流側に配置することによって、レーザドライバ１３から発生する熱が、光記録媒体１４の回転に伴う空気の流れによって第１および第２半導体レーザ１１，１２にもたらされることがない。したがって、第１および第２半導体レーザ１１，１２の過熱が防止されるので、長時間にわたって安定した動作を継続することのできる光ピックアップ装置１０が実現される。
【００３９】
図２は、本発明の実施の第２形態である光ピックアップ装置３０の構成を簡略化して示す平面図である。本実施の形態の光ピックアップ装置３０は、実施の第１形態の光ピックアップ装置１０に類似し、対応する部分については同一の参照符号を付して説明を省略する。
【００４０】
本実施の形態の光ピックアップ装置３０は、ハウジング３１に備わり、第１および第２半導体レーザ１１，１２とレーザドライバ１３とが装着される装着板３２に、レーザドライバ１３と第１半導体レーザ１１との間、また第１半導体レーザ１１と第２半導体レーザ１２との間の装着板３２の断面積が、局所的に小さくなるように、第１長孔３３と第２長孔３４とがそれぞれ形成されることを特徴とする。
【００４１】
第１および第２長孔３３，３４は、装着板３２を貫通して形成される平面形状が長方形の孔である。レーザドライバ１３と第１半導体レーザ１１との間に第１長孔３３が形成されることによって、レーザドライバ１３と第１半導体レーザ１１との間における装着板３２の断面積が局所的に減少する。このことによって、レーザドライバ１３で発生し、装着板３２を介して第１半導体レーザ１１に伝導される熱量が、制限されるので、第１半導体レーザ１１の過熱が防止される。
【００４２】
また、第１半導体レーザ１１と第２半導体レーザ１２との間に第２長孔３４が形成されることによって、第１半導体レーザ１１と第２半導体レーザ１２との間における装着板３２の断面積が局所的に減少する。このことによって、第１および第２半導体レーザ１１，１２のそれぞれにおいて発生する熱が、互いの間で伝導されにくくなるので、第１および第２半導体レーザ１１，１２の過熱が防止される。さらに、第２長孔３４の形成によって、レーザドライバ１３で発生する熱が、第２半導体レーザ１２に対して伝導されにくくなる効果も奏することができる。
【００４３】
本実施の形態では、装着板３２の局所的な断面積の減少を、長孔３３，３４によって実現するけれども、これに限定されることなく、たとえば平面形状が円形の孔を複数形成する構成であってもよく、また装着板３２に切欠を形成する構成であってもよい。
【００４４】
図３は、本発明の実施の第３形態である光ピックアップ装置４０の構成を簡略化して示す平面図である。本実施の形態の光ピックアップ装置４０は、実施の第１形態の光ピックアップ装置１０に類似し、対応する部分については同一の参照符号を付して説明を省略する。
【００４５】
本実施の形態の光ピックアップ装置４０は、別体として形成される２つの第１および第２ハウジング４１，４２を備え、第１および第２半導体レーザ１１，１２が、第１ハウジング４１に収容かつ装着され、レーザドライバ１３が、第２ハウジング４２に収容かつ装着されることを特徴とする。この第１ハウジング４１と第２ハウジング４２とは、熱伝導率が互いに異なる素材によって形成され、樹脂部材４３を介して連結される。
【００４６】
第１および第２半導体レーザ１１，１２が収容かつ装着される第１ハウジング４１と、レーザドライバ１３が収容かつ装着される第２ハウジング４２とを別体とし、さらに第１ハウジング４１と第２ハウジング４２とを、低い熱伝導率を有し断熱性に優れる樹脂部材４３を介して連結することによって、第１および第２半導体レーザ１１，１２から発生する熱を第１ハウジング４１から放熱し、レーザドライバ１３から発生する熱を第２ハウジング４２から放熱するとともに、第１ハウジング４１と第２ハウジング４２との熱伝導を遮断することができるので、第１および第２半導体レーザ１１，１２とレーザドライバ１３とは、互いに他を発生源とする熱の影響を受けること無く、またそれぞれから発生する熱を効率良く放熱できる。
【００４７】
さらに第１ハウジング４１と第２ハウジング４２とを、熱伝導率が互いに異なる素材で形成することによって、コストの高騰を招来することなく一層効率的な放熱を実現することができる。ハウジングの金属製素材としては、たとえば亜鉛ダイカスト、アルミニウムダイカスト、マグネシウムダイカストなどが挙げられる。これらの素材は、熱伝導率、比重、硬さ等の物性値が異なるとともに、製造上のコストも異なる。熱伝導率が大きい素材は、一般的にアルミニウムダイカストであり、続いて亜鉛ダイカスト、マグネシウムダイカストの順である。比重が小さい素材は、マグネシウムダイカスト、アルミニウムダイカスト、亜鉛ダイカストの順である。また、製造上のコストを鋳造金型の耐久性の観点から比較すると、耐久性の高いものから順に、亜鉛ダイカスト、マグネシウムダイカスト、アルミニウムダイカストである。
【００４８】
ハウジングとして用いる素材は、それぞれの用途、目的によって選定されるけれども、たとえば第１ハウジング４１と第２ハウジング４２のように別体とすることによって、発熱量が多く高温になるレーザドライバ１３を搭載する第２ハウジング４２の素材を、高熱伝導率のアルミニウムダイカストとし、形状が複雑な第１および第２半導体レーザ１１，１２を搭載する第１ハウジング４１の材質を、コストメリットを生かした亜鉛ダイカストとするような選択をすることができる。このような選択および設計をすることによって、前述のように、コストの高騰を抑え、かつ効率的な放熱特性を有する光ピックアップ装置４０が実現される。
【００４９】
図４は、図３に示す光ピックアップ装置４０と情報再生時の光記録媒体１４との配置を示す平面図である。図４では、情報を再生（記録であってもよい）するためにディスクドライブ装置に光記録媒体１４を装着した状態における光ピックアップ装置４０の配置を示す。図４に示すように、レーザドライバ１３が収容かつ装着される第２ハウジング４２は、第１および第２半導体レーザ１１，１２が収容かつ装着される第１ハウジング４１よりも、光記録媒体１４の回転方向（矢符２２方向）の下流側に配置されるので、実施の第１形態の光ピックアップ装置１０と同様の効果を奏することができる。
【００５０】
なお、光ピックアップ装置４０では、第１ハウジング４１と第２ハウジング４２とが、樹脂部材４３によって連結されるけれども、これに限定されることなく、他の部材によって連結される構成であってもよい。たとえば、樹脂部材４３に比べて若干断熱性に劣るけれども、熱容量が小さい厚さ０．２ｍｍ程度の薄い金属板が、連結部材として用いられてもよい。
【００５１】
図５は、本発明の実施の第４形態である光ピックアップ装置５０の構成を簡略化して示す平面図である。本実施の形態の光ピックアップ装置５０は、実施の第３形態の光ピックアップ装置４０に類似し、対応する部分については同一の参照符号を付して説明を省略する。
【００５２】
本実施の形態の光ピックアップ装置５０は、第２ハウジング４２が、第１ハウジング４１を摺動可能に支持する第２案内軸部材２０に対して摺接するように設けられることを特徴とする。
【００５３】
第１および第２半導体レーザ１１，１２が収容かつ装着される第１ハウジング４１は、ディスクドライブ装置に固設される第１および第２案内軸部材１９，２０に対して摺動可能に支持される。第１および第２案内軸部材１９，２０は、高い熱伝導率を有するたとえばアルミニウム合金製の棒状部材であり、第１ハウジング４１と接して設けられることによって、第１ハウジング４１に装着される第１および第２半導体レーザ１１，１２で発生する熱を、第１ハウジング４１から伝熱受領し、空気中へ放散するとともに、ディスクドライブ装置へ伝導して放熱する。
【００５４】
このように、第１および第２案内軸部材１９，２０は、放熱部材としての機能を有するので、レーザドライバ１３が装着される第２ハウジング４２を、第１および／または第２案内軸部材１９，２０に接するように設けることによって、レーザドライバ１３で発生する熱を、一層効率的に放熱することができる。
【００５５】
本実施の形態の光ピックアップ装置５０では、第２ハウジング４２に金属製のばね部材５１を装着し、さらにばね部材５１の第２ハウジング４２が連接される側と反対側に金属製の摺接部材５２を装着し、この摺接部材５２が第２案内軸部材２０に対して接するように構成される。摺接部材５２は、ばね部材５１の弾性的なばね力によって第２案内軸部材２０に押圧されるので、第２案内軸部材２０の延びる方向に摺動可能である。
【００５６】
このことによって、第２ハウジング４２が、高い熱伝導率を有する金属製のばね部材５１および摺接部材５２を介して第２案内軸部材２０に接することができる。したがって、レーザドライバ１３で発生する熱が、第２ハウジング４２、ばね部材５１および摺接部材５２を介して第２案内軸部材２０に伝導され、第２案内軸部材２０から放熱されるので、効率的な放熱が実現される。
【００５７】
図６は、本発明の実施の第５形態である光ピックアップ装置６０の構成を簡略化して示す側面図である。本実施の形態の光ピックアップ装置６０は、実施の第１形態の光ピックアップ装置１０に類似し、対応する部分については同一の参照符号を付して説明を省略する。
【００５８】
本実施の形態の光ピックアップ装置６０は、第１および第２半導体レーザ１１，１２とレーザドライバ１３とが装着される装着板６１を有するハウジング６２を備え、第１および第２半導体レーザ１１，１２が、装着板６１の光記録媒体１４を臨む側の面である一方の面６１ａに装着され、レーザドライバ１３が、装着板６１の前記一方の面６１ａに対する反対側の面である他方の面６１ｂに装着されることを特徴とする。
【００５９】
このようにして、第１および第２半導体レーザ１１，１２と、レーザドライバ１３とは、装着板６１によって隔てられるようにしてその両面にそれぞれ配置される。したがって、光記録媒体１４の回転に伴って空気の流れ６３ａ，６３ｂが発生するけれども、レーザドライバ１３から発生し放散された熱を保有する他方の面６１ｂ側の空気の流れ６３ｂは、装着板６１に隔てられて、直接第１および第２半導体レーザ１１，１２に触れることがないので、第１および第２半導体レーザ１１，１２の過熱が防止される。
【００６０】
また、第１および第２半導体レーザ１１，１２の光記録媒体１４を臨む側は、ハウジング６２で覆われることなく開放されるように構成されるので、光記録媒体１４の回転によって、光記録媒体１４と第１および第２半導体レーザ１１，１２とによって形成される空間において発生する一方の面６１ａ側の空気の流れ６３ａが、第１および第２半導体レーザ１１，１２で発生する熱を放散させるので、良好な放熱性を実現することができる。
【図面の簡単な説明】
【００６１】
【図１】本発明の実施の一形態である光ピックアップ装置１０の構成を簡略化して示す平面図である。
【図２】本発明の実施の第２形態である光ピックアップ装置３０の構成を簡略化して示す平面図である。
【図３】本発明の実施の第３形態である光ピックアップ装置４０の構成を簡略化して示す平面図である。
【図４】図３に示す光ピックアップ装置４０と情報再生時の光記録媒体１４との配置を示す平面図である。
【図５】本発明の実施の第４形態である光ピックアップ装置５０の構成を簡略化して示す平面図である。
【図６】本発明の実施の第５形態である光ピックアップ装置６０の構成を簡略化して示す側面図である。
【図７】従来の光ピックアップ装置１の構成を簡略化して示す平面図である。
【符号の説明】
【００６２】
１０，３０，４０，５０，６０  光ピックアップ装置
１１，１２  半導体レーザ
１３  レーザドライバ
１４  光記録媒体
１５  光学系
１７  アクチュエータ
１８，３１，４１，４２，６２  ハウジング
１９，２０  案内軸部材
２７，３２，６１  装着板
３３，３４  長孔
４３  樹脂部材
５１  ばね部材
５２  摺接部材
【図１】
2005196923.tif 000003
【図２】
2005196923.tif 000004
【図３】
2005196923.tif 000005
【図４】
2005196923.tif 000006
【図５】
2005196923.tif 000007
【図６】
2005196923.tif 000008
【図７】
2005196923.tif 000009